(57)【要約】【課題】全体としての大型化を抑えつつも、駆動力の増大を図ることができるアクチュエータを提供する。【解決手段】アクチュエータは、柱状に形成されている中心部１０１と、該中心部１０１の周側面から放射状に延びている複数のアーム部１０２と、各アーム部１０２に設けられているコイルとを有する構成体１００と、構成体１００を収容する筒状の収容体としてのケース部７０とを備える。ケース部７０には、アーム部１０２を中心部１０１の周方向に挟むようにして配置された一対の磁石部８０が設けられている。一対の磁石部８０は、周方向に並んで複数設けられて複数のアーム部１０２の各々に対応した位置に配置されている。アクチュエータは、コイルへの通電によって駆動力を発生させる。【選択図】図３
2019161776.tif 000002
【特許請求の範囲】
【請求項１】
柱状に形成されている中心部と、該中心部の周側面から放射状に延びている複数のアーム部と、各アーム部に設けられているコイルとを有する構成体と、
前記構成体を収容する筒状の収容体とを備え、
前記収容体には、前記アーム部を前記中心部の周方向に挟むようにして配置された一対の磁石部が設けられ、
前記一対の磁石部は、前記周方向に並んで複数設けられて複数の前記アーム部の各々に対応した位置に配置されており、
前記コイルへの通電によって駆動力を発生させるアクチュエータ。
【発明の詳細な説明】
【技術分野】
【０００１】
本発明は、アクチュエータに関する。
【背景技術】
【０００２】
特許文献１には、箱状に形成されたハウジングに対して、該ハウジングに挿通されているシャフトを往復動させるためのアクチュエータが記載されている。アクチュエータは、シャフトに連結されているボビンと、該ボビンに環状に巻回されているコイルと、ハウジングに固定されている永久磁石とを含む。永久磁石は、コイルの外周側に配置されている。コイルに通電すると、該コイルの周囲に磁界が発生する。アクチュエータは、コイルが発生する磁界を、永久磁石の磁界と作用させることにより、ボビンをコイルの中心軸方向へと移動させる駆動力を生成する。アクチュエータは、生成した駆動力によってボビンを移動させることにより、シャフトをハウジングに対して往復動させる。
【先行技術文献】
【特許文献】
【０００３】
【特許文献１】特開平１１‐５５９２６号公報
【発明の概要】
【発明が解決しようとする課題】
【０００４】
特許文献１に記載されたアクチュエータは、シャフトなどの駆動対象物を直線方向に移動させる。こうしたアクチュエータでは、駆動対象物によっては大きな駆動力を生成することが必要となる場合がある。永久磁石を大型化する場合、アクチュエータの駆動力を大きくすることは可能であるが、永久磁石の大型化に伴ってアクチュエータの体格も大きくなる。特許文献１に記載のアクチュエータは、大型化を抑えつつも、駆動力を増大させる構成を実現する上では、充分であるとは言い切れない。
【課題を解決するための手段】
【０００５】
上記課題を解決するためのアクチュエータは、柱状に形成されている中心部と、該中心部の周側面から放射状に延びている複数のアーム部と、各アーム部に設けられているコイルとを有する構成体と、前記構成体を収容する筒状の収容体とを備え、前記収容体には、前記アーム部を前記中心部の周方向に挟むようにして配置された一対の磁石部が設けられ、前記一対の磁石部は、前記周方向に並んで複数設けられて複数の前記アーム部の各々に対応した位置に配置されており、前記コイルへの通電によって駆動力を発生させる。
【０００６】
上記構成では、構成体において複数のアーム部が放射状に設けられ、各々のアーム部にコイルが設けられる。磁石部は、アーム部を挟むようにして対になって設けられる。そのため、アーム部の一方のみに磁石部を配置する場合に比して、磁石部における磁束密度を高めることが可能になる。そして、一対の磁石部を、アーム部の各々に対応した位置に配置されるように複数設けることで、コイルの磁界と磁石部の磁界とが作用する箇所を複数にして発生する駆動力を大きくすることも可能になる。このようにコイル及び該コイルを挟む一対の磁石部を放射状に並べて複数配置することで、アクチュエータ全体としての大型化を抑えつつも、駆動力の増大を図ることができる。
【図面の簡単な説明】
【０００７】
【図１】アクチュエータの一実施形態が適用される燃料ポンプを備えた燃料供給系の構成を示す模式図。
【図２】燃料ポンプの構成を模式的に示す断面図。
【図３】アクチュエータの構成を模式的に示す斜視図。
【図４】一対の磁石部の構成を模式的に示す斜視図。
【図５】燃料ポンプにおける動作態様の一例を模式的に示す断面図。
【発明を実施するための形態】
【０００８】
アクチュエータの一実施形態について、図１〜図５を参照して説明する。なお、本実施形態では、車載エンジンの燃料供給系に用いられる燃料ポンプのアクチュエータを例に説明する。
【０００９】
図１に示すように、車載エンジンの燃料供給系１０は、燃料タンク１１を有している。燃料タンク１１の内部には、燃料ポンプ２０が配置されている。燃料ポンプ２０には、燃料供給通路１２の一端が連結されている。燃料供給通路１２の他端には、デリバリパイプ１３が連結されている。デリバリパイプ１３には、複数の燃料噴射弁１４が連結されている。燃料ポンプ２０は、燃料タンク１１内の燃料を燃料供給通路１２に圧送する。燃料供給通路１２に圧送された燃料は、デリバリパイプ１３を通じて各燃料噴射弁１４に供給され、各燃料噴射弁１４から噴射される。
【００１０】
図２に示すように、燃料ポンプ２０は、燃料タンク１１内の燃料を吸引して加圧するポンプ部３０と、ポンプ部３０が連結されているケース部７０とを有している。
ケース部７０は、円板状に形成されている下壁７１を有している。ケース部７０は、下壁７１の周縁から立設されていて、円筒状に形成されている周壁７２を有している。
【００１１】
周壁７２の先端（図２の上端）には、上壁７３が連結されている。上壁７３は、円板状に形成されていて、周壁７２の先端を閉塞するように配置されている。上壁７３の中央部分には、貫通孔７３Ａが形成されている。上壁７３の板厚は、下壁７１の板厚よりも厚い。ケース部７０は、下壁７１、周壁７２、及び上壁７３によって箱状に形成されていて、これらは一体物として構成されている。
【００１２】
ポンプ部３０は、上壁７３に固定されている固定部３１を有している。固定部３１は、円柱状に形成されている本体３２と、該本体３２と上壁７３との間に配置されているフランジ３３と、フランジ３３から立設されている挿通体３４とからなる。フランジ３３は、本体３２よりも拡径されていて、上壁７３と当接している。挿通体３４は、フランジ３３から貫通孔７３Ａの途中まで延びている。挿通体３４は、その外径が貫通孔７３Ａの直径と同じである。そのため、挿通体３４の外周面は、上壁７３の内周面と当接している。固定部３１には、ケース部７０の軸線Ｌの延伸方向（以下、単に「軸方向」という。）と同じ方向に延びているシリンダ３５が形成されている。シリンダ３５は、挿通体３４の一端面（図２の下端面）から本体３２の内部まで延びている。
【００１３】
本体３２には、上記軸方向と直交する直交方向（図２の左右方向）に延びていて、シリンダ３５と連通している第１直交孔３６及び第２直交孔３７が形成されている。第１直交孔３６と第２直交孔３７とは、シリンダ３５から互いに反対方向に延びている。第１直交孔３６は、シリンダ３５と連通している第１小径部３６Ａと、第１小径部３６Ａから本体３２の側周面まで延びて開口している第１大径部３６Ｂとを有している。第１大径部３６Ｂには、吸入弁４０が挿入されて嵌合している。
【００１４】
吸入弁４０は、円柱形状に形成されていて、本体３２から突出した状態で組付けられている。吸入弁４０には、上記直交方向に貫通して延びている吸入通路４１が形成されている。吸入通路４１は、第１小径部３６Ａに接続されている第１吸入路４１Ａと、第１吸入路４１Ａに接続されていて、第１吸入路４１Ａよりも拡径されている第２吸入路４１Ｂと、第２吸入路４１Ｂに接続されていて、第１吸入路４１Ａと直径が同じである第３吸入路４１Ｃとからなる。第２吸入路４１Ｂには、第１逆止弁４２が配置されている。第１逆止弁４２は、第１弁体４３と、該第１弁体４３を第３吸入路４１Ｃ側に付勢する第１ばね４４とからなる。第１弁体４３は、第３吸入路４１Ｃ側（図２の右側）の端面に当接している第１付勢部４３Ａと、第１付勢部４３Ａの中央部から第１吸入路４１Ａ側（図２の左側）に膨出している第１膨出部４３Ｂとからなる。第１膨出部４３Ｂは、半球状に形成されている。第１ばね４４は、一端が第２吸入路４１Ｂにおける第１吸入路４１Ａ側の端面に当接し、他端が第１弁体４３の第１付勢部４３Ａに当接している。第３吸入路４１Ｃは、燃料タンク１１内と連通している。
【００１５】
第２直交孔３７は、シリンダ３５と連通している第２小径部３７Ａと、第２小径部３７Ａから本体３２の側周面まで延びて開口している第２大径部３７Ｂとを有している。第２大径部３７Ｂには、吐出弁５０が挿入されて嵌合している。吐出弁５０は、円柱形状に形成されていて、本体３２から突出した状態で組付けられている。吐出弁５０と吸入弁４０とは、上記直交方向に並んで配置されている。吐出弁５０には、上記直交方向に貫通して延びている吐出通路５１が形成されている。吐出通路５１は、第２小径部３７Ａに接続されている第１吐出路５１Ａと、第１吐出路５１Ａに接続されていて、第１吐出路５１Ａよりも拡径されている第２吐出路５１Ｂと、第２吐出路５１Ｂに接続されていて、第１吐出路５１Ａと直径が同じである第３吐出路５１Ｃとからなる。第２吐出路５１Ｂには、第２逆止弁５２が配置されている。
【００１６】
第２逆止弁５２は、第２弁体５３と、該第２弁体５３を第１吐出路５１Ａ側に付勢する第２ばね５４とからなる。第２弁体５３は、第１吐出路５１Ａ側（図２の右側）の端面に当接している第２付勢部５３Ａと、第２付勢部５３Ａの中央部から第３吐出路５１Ｃ側（図２の左側）に膨出している第２膨出部５３Ｂとからなる。第２膨出部５３Ｂは、半球状に形成されている。第２ばね５４は、一端が第２吐出路５１Ｂにおける第３吐出路５１Ｃ側の端面に当接し、他端が第２弁体５３の第２付勢部５３Ａに当接している。吐出弁５０には、燃料供給通路１２の一端が連結されている。すなわち、吐出弁５０は、第２吐出路５１Ｂ及び第３吐出路５１Ｃが燃料供給通路１２と連通している。
【００１７】
ポンプ部３０は、シリンダ３５に挿通され、該シリンダ３５内を摺動可能なプランジャ６０を有している。プランジャ６０は、円柱棒状に形成されていて、その一端部（図２の上端部）が挿通体３４側からシリンダ３５に挿通されている。プランジャ６０の他端部は、ケース部７０の内域に配置されている。プランジャ６０の他端部には、凹条６０Ａが形成されている。凹条６０Ａは、周方向全周に亘って延びている。そのため、プランジャ６０は、凹条６０Ａが形成されている部分が部分的に縮径されたようになっている。凹条６０Ａには、円環板状の台座６１が連結されている。台座６１は、凹条６０Ａに挿通されている中央部６１Ａと、該中央部６１Ａから径方向外側に湾曲して延びている湾曲部６１Ｂと、湾曲部６１Ｂから径方向外側に平板状に延びている平板部６１Ｃとからなる。平板部６１Ｃと固定部３１の挿通体３４との間には、圧縮ばね６２が配置されている。圧縮ばね６２は、台座６１を挿通体３４から離間する方向、すなわち、プランジャ６０をシリンダ３５から引き抜く方向（図２の下方）に付勢している。台座６１の外径は、貫通孔７３Ａの直径よりも短い。また、圧縮ばね６２の外径も貫通孔７３Ａの直径よりも短い。シリンダ３５、プランジャ６０、第１小径部３６Ａ、第１吸入路４１Ａ、第２吸入路４１Ｂ、第２小径部３７Ａ、及び第１吐出路５１Ａによって、ポンプ部３０の加圧室６３が構成されている。
【００１８】
図３に示すように、ケース部７０には、周壁７２の内周面から中心へ向かって立設された一対の磁石部８０が設けられている。一対の磁石部８０は、周方向に並んで複数設けられている。一対の磁石部８０は、互いに対向している第１磁石部８１と、第２磁石部８６とからなる。第１磁石部８１は、周壁７２に連結されている第１支持壁８２と、第１支持壁８２に固定されている第１磁石列８３とによって構成されている。第１支持壁８２は磁性体によって構成されている。第２磁石部８６は、周壁７２に連結されている第２支持壁８７と、第２支持壁８７に固定されている第２磁石列８８とによって構成されている。第２支持壁８７は磁性体によって構成されている。第１磁石列８３及び第２磁石列８８は互いに対向するように配置されている。第１磁石列８３及び第２磁石列８８は周方向に離間しており、これらの間には隙間が設けられている。
【００１９】
図４に示すように、第１磁石列８３は、四角棒状の複数の磁石８５によって構成されている。また、第２磁石列８８は、四角棒状の複数の磁石９０によって構成されている。各磁石８５，９０は、一方側の半分が図４にドットで示すようにＮ極であり、他方側の半分がＳ極になっている。各磁石８５，９０は、上記軸方向（図４の上下方向）に配列されている。各磁石８５，９０において、隣り合う磁石における磁極の配置方向は、９０°ずれている。なお、以下では、各磁石８５，９０において、配列方向における一端（図４の上端）側を上側、配列方向における他端（図４の下端）側を下側、第１支持壁８２側を左側、第２支持壁８７側を右側という。
【００２０】
第１磁石列８３では、配列方向における上端に配置されている第１磁石８５Ａは、下半分がＮ極であり、上半分がＳ極である。また、第１磁石８５Ａの下隣に配置されている第２磁石８５Ｂは、右半分がＮ極であり、左半分がＳ極である。第２磁石８５Ｂの下隣に配置されている第３磁石８５Ｃは、上半分がＮ極であり、下半分がＳ極である。第３磁石８５Ｃの下隣に配置されている第４磁石８５Ｄは、左半分がＮ極であり、右半分がＳ極である。第４磁石８５Ｄの下隣に配置されている第５磁石８５Ｅは、下半分がＮ極であり、上半分がＳ極である。第５磁石８５Ｅの下隣に配置されている第６磁石８５Ｆは、右半分がＮ極であり、左半分がＳ極である。第６磁石８５Ｆの下隣に配置されている第７磁石８５Ｇは、上半分がＮ極であり、下半分がＳ極である。
【００２１】
また、第７磁石８５Ｇの下隣に配置されている第８磁石８５Ｈは、左半分がＮ極であり、右半分がＳ極である。第８磁石８５Ｈの下隣に配置されている第９磁石８５Ｉは、下半分がＮ極であり、上半分がＳ極である。第９磁石８５Ｉの下隣に配置されている第１０磁石８５Ｊは、右半分がＮ極であり、左半分がＳ極である。第１０磁石８５Ｊの下隣に配置されている第１１磁石８５Ｋは、上半分がＮ極であり、下半分がＳ極である。第１１磁石８５Ｋの下隣に配置されている第１２磁石８５Ｌは、左半分がＮ極であり、右半分がＳ極である。第１２磁石８５Ｌの下隣に配置されている第１３磁石８５Ｍは、下半分がＮ極であり、上半分がＳ極である。
【００２２】
このように第１磁石列８３は、隣り合う磁石８５における磁極の配置方向が異なる１３の磁石８５によって構成されている。第１磁石列８３における各磁石８５の配列を第１ハルバッハ配列という。この配列では、図４に矢印で示すように、第１磁石列８３における一方側（図４の右側）に磁場が集中して発生する。すなわち、第１ハルバッハ配列となるように配置された第１磁石列８３では、該第１磁石列８３の他方側（図４の左側）には磁場がほとんど発生しない。
【００２３】
また、第２磁石列８８では、配列方向における上端に配置されている第２１磁石９０Ａは、上半分がＮ極であり、下半分がＳ極である。また、第２１磁石９０Ａの下隣に配置されている第２２磁石９０Ｂは、右半分がＮ極であり、左半分がＳ極である。第２２磁石９０Ｂの下隣に配置されている第２３磁石９０Ｃは、下半分がＮ極であり、上半分がＳ極である。第２３磁石９０Ｃの下隣に配置されている第２４磁石９０Ｄは、左半分がＮ極であり、右半分がＳ極である。第２４磁石９０Ｄの下隣に配置されている第２５磁石９０Ｅは、上半分がＮ極であり、下半分がＳ極である。第２５磁石９０Ｅの下隣に配置されている第２６磁石９０Ｆは、右半分がＮ極であり、左半分がＳ極である。第２６磁石９０Ｆの下隣に配置されている第２７磁石９０Ｇは、下半分がＮ極であり、上半分がＳ極である。
【００２４】
また、第２７磁石９０Ｇの下隣に配置されている第２８磁石９０Ｈは、左半分がＮ極であり、右半分がＳ極である。第２８磁石９０Ｈの下隣に配置されている第２９磁石９０Ｉは、上半分がＮ極であり、下半分がＳ極である。第２９磁石９０Ｉの下隣に配置されている第３０磁石９０Ｊは、右半分がＮ極であり、左半分がＳ極である。第３０磁石９０Ｊの下隣に配置されている第３１磁石９０Ｋは、下半分がＮ極であり、上半分がＳ極である。第３１磁石９０Ｋの下隣に配置されている第３２磁石９０Ｌは、左半分がＮ極であり、右半分がＳ極である。第３２磁石９０Ｌの下隣に配置されている第３３磁石９０Ｍは、上半分がＮ極であり、下半分がＳ極である。
【００２５】
このように第２磁石列８８は、隣り合う磁石９０における磁極の配置方向が異なる１３の磁石９０によって構成されている。第２磁石列８８における各磁石９０の配列を第２ハルバッハ配列という。この配列では、第２磁石列８８における他方側（図４の左側）に磁場が集中して発生する。すなわち、第２ハルバッハ配列となるように配置された第２磁石列８８では、該第２磁石列８８の一方側（図４の右側）には磁場がほとんど発生しない。なお、第２１磁石９０Ａは第１磁石８５Ａに対向し、第２２磁石９０Ｂは第２磁石８５Ｂに対向し、第２３磁石９０Ｃは第３磁石８５Ｃに対向し、第２４磁石９０Ｄは第４磁石８５Ｄに対向し、第２５磁石９０Ｅは第５磁石８５Ｅに対向し、第２６磁石９０Ｆは第６磁石８５Ｆに対向し、第２７磁石９０Ｇは第７磁石８５Ｇに対向している。
【００２６】
また、第２８磁石９０Ｈは第８磁石８５Ｈに対向し、第２９磁石９０Ｉは第９磁石８５Ｉに対向し、第３０磁石９０Ｊは第１０磁石８５Ｊに対向し、第３１磁石９０Ｋは第１１磁石８５Ｋに対向し、第３２磁石９０Ｌは第１２磁石８５Ｌに対向し、第３３磁石９０Ｍは第１３磁石８５Ｍに対向している。すなわち、第１磁石列８３において第２磁石列８８側にＮ極が配置されている部分と、第２磁石列８８において第１磁石列８３側にＳ極が配置されている部分とが対向し、第１磁石列８３において第２磁石列８８側にＳ極が配置されている部分と、第２磁石列８８において第１磁石列８３側にＮ極が配置されている部分とが対向している。そのため、第１磁石列８３と第２磁石列８８とが対向して配置されている一対の磁石部８０では、各磁石列８３，８８の間に磁場が集中し磁束密度が高められている。
【００２７】
図２及び図３に示すように、ケース部７０には、構成体１００が収容されている。すなわち、本実施形態のケース部７０は、上記課題を解決するための手段の欄で述べている収容体に相当する。
【００２８】
図３に示すように、構成体１００はケース部７０の周壁７２の中心に配置されている中心部１０１を有している。中心部１０１は円柱状に形成されている。構成体１００は、中心部１０１の周側面から放射状に延びている複数のアーム部１０２が設けられている。各アーム部１０２は、一対の磁石部８０において第１磁石列８３と第２磁石列８８との間を通じて周壁７２の内周面まで延びている。これにより、アーム部１０２は、中心部１０１の周方向において一対の磁石部８０によって挟まれた状態となる。また、複数のアーム部１０２はその全てが一対の磁石部８０によって挟まれた状態になっている。そのため、一対の磁石部８０は、複数のアーム部１０２の各々に対応した位置に配置されているといえる。図２及び図３に示すように、各アーム部１０２は板状に延びている。上記軸方向（図２の上下方向）において、アーム部１０２の下端は中心部１０１の下端と同じ位置に配置され、アーム部１０２の上端は中心部１０１の上端よりも下端側に配置されている。そのため、構成体１００では、中心部１０１がアーム部１０２よりもプランジャ６０側に突出した形状となっており、中心部１０１においてアーム部１０２よりも突出している部分を押圧部１０１Ａという。プランジャ６０は、圧縮ばね６２の付勢力により、押圧部１０１Ａに押し付けられた状態になっている。
【００２９】
アーム部１０２には、中心部１０１の径方向（図２の左右方向）に長尺の複数の支持孔１０２Ａが形成されている。各支持孔１０２Ａにはコイル１０３が設けられている。各コイル１０３は上記径方向に沿って電流が流れるように巻回された状態で支持孔１０２Ａの内周縁に沿って配置されている。すなわち、コイル１０３における電流の流れる方向と、一対の磁石部８０における磁束の向きとは直交するようにコイル１０３が巻回されている。本実施形態では、各コイル１０３は、各々が制御装置１１０に電気的に接続されている。制御装置１１０には、図示しない外部電源から電力が供給されており、通電タイミングや電流の向きをコイル１０３毎に独立して制御する。
【００３０】
次に、図２及び図５を参照して、燃料ポンプ２０の駆動態様について説明する。
コイル１０３への通電が行われていないときには、プランジャ６０が圧縮ばね６２の付勢力によって構成体１００を押し下げる。これにより、中心部１０１の下端、及びアーム部１０２の下端は、下壁７１に当接する。この状態では、図２に示すように、プランジャ６０は、シリンダ３５から引き抜かれた状態となる。プランジャ６０がシリンダ３５から引き抜かれる過程で、吸入弁４０を通じて燃料タンク１１から加圧室６３内に燃料が供給される。そのため、図２に示す状態では、加圧室６３内は燃料で満たされている。
【００３１】
その後、制御装置１１０がコイル１０３への通電を開始すると、コイル１０３の周囲に磁界が発生する。コイル１０３の周囲に発生した磁界は、一対の磁石部８０の磁界と作用して、構成体１００をプランジャ６０側へ移動させる駆動力を生成する。この駆動力は、図５に白抜きの矢印で示すように、圧縮ばね６２の付勢力に抗してプランジャ６０をシリンダ３５に挿入する方向に移動させる。なお、制御装置１１０は、一対の磁石部８０における磁束の向きや、構成体１００のコイル１０３の位置などに応じて、各コイル１０３への通電タイミングや通電方向を制御する。このように構成体１００を移動させることで、プランジャ６０を移動させてポンプ部３０の加圧室６３の容積を減少させる。これにより、加圧室６３内の圧力が増大する。ポンプ部３０の加圧室６３には、上述したように燃料が供給されていることから、加圧室６３内の圧力が増大することで、ポンプ部３０の吐出弁５０が開弁する。すなわち、吐出弁５０の第２弁体５３には、開弁方向に加圧室６３内の圧力が作用しており、閉弁方向に燃料供給通路１２内の圧力及び第２ばね５４の付勢力が作用している。加圧室６３内の圧力が増大して、第２弁体５３を開弁方向に付勢する力が第２弁体５３を閉弁方向に付勢する力よりも強くなると、第２弁体５３が開弁して図５に実線の矢印で示すように、加圧室６３から燃料供給通路１２に燃料が吐出される。なお、このときには、吸入弁４０は閉弁状態であるように、第１弁体４３に第１ばね４４の付勢力及び加圧室６３内の圧力が作用している。なお、構成体１００は、押圧部１０１Ａがケース部７０の上壁７３に当接するまで移動する。この状態では、上壁７３の貫通孔７３Ａの内域に台座６１及び圧縮ばね６２が収容される。
【００３２】
制御装置１１０は、コイル１０３へ通電して燃料ポンプ２０から燃料を吐出させた後、コイル１０３への通電を停止する。これにより、コイル１０３の周囲に発生していた磁場が消失して、上記駆動力が低下する。その結果、圧縮ばね６２の付勢力によってプランジャ６０及び構成体１００が移動し、構成体１００がケース部７０の下壁７１に当接する。この過程において、吸入弁４０を通じた燃料タンク１１から加圧室６３への燃料の供給が再度行われる。
【００３３】
このように、燃料ポンプ２０では、コイル１０３への通電、及び非通電を制御装置１１０によって繰り返し切り替えることにより、構成体１００を移動させるための駆動力を発生させる。燃料ポンプ２０では、構成体１００、ケース部７０、及び一対の磁石部８０がアクチュエータとして機能している。
【００３４】
本実施形態の作用及び効果について説明する。
（１）本実施形態では、構成体１００において複数のアーム部１０２が放射状に設けられ、各々のアーム部１０２にコイル１０３が設けられている。各磁石部８１，８６は、アーム部１０２を挟むようにして対になって設けられる。そのため、アーム部１０２の一方のみに磁石部を配置する場合に比して、各磁石部８１，８６における磁束密度を高めることが可能になる。そして、一対の磁石部８０を、アーム部１０２の各々に対応した位置に配置されるように複数設けることで、コイル１０３の磁界と一対の磁石部８０の磁界とが作用する箇所を複数にして発生する駆動力を大きくすることも可能になる。このようにコイル１０３及び該コイル１０３を挟む一対の磁石部８０を放射状に並べて複数配置することで、アクチュエータ全体としての大型化を抑えつつも、駆動力の増大を図ることができる。
【００３５】
（２）第１磁石部８１及び第２磁石部８６では、磁石８５，９０をハルバッハ配列となるように配列した。そのため、一対の磁石部８０において磁石部８１，８６の間に磁場を集中させることができ、その磁束密度の向上に貢献できる。また、一対の磁石部８０の外部に磁場が漏れることを抑えることもできる。
【００３６】
（３）本実施形態では、構成体１００が移動する際に、該構成体１００と一対の磁石部８０との接触を抑えることができる。したがって、構成体１００と一対の磁石部８０とが接触することに伴って必須となっていたアクチュエータの耐久性に係る構成を省略することが可能となる。
【００３７】
本実施形態は、以下のように変更して実施することができる。本実施形態及び以下の変更例は、技術的に矛盾しない範囲で互いに組み合わせて実施することができる。
・各磁石列８３，８８における配列はハルバッハ配列に限らず、他の配列となるように磁石列を構成してもよい。
【００３８】
・各磁石列８３，８８における磁石の数や形状は適宜変更が可能である。例えば、上記実施形態における磁石８５，９０の軸方向において、複数の磁石を並べて配置することで第１磁石８５Ａ等を構成するようにしてもよい。
【００３９】
・第１支持壁８２及び第２支持壁８７の双方を磁性体によって構成したが、これらの少なくとも一方を磁性体によって構成しなくてもよい。また、第１支持壁８２及び第２支持壁８７の少なくとも一方を省略することも可能である。例えば、第１支持壁８２及び第２支持壁８７の双方を省略した場合、一対の磁石部８０を第１磁石列８３及び第２磁石列８８で構成し、これらの磁石列８３，８８をケース部７０の周壁７２に固定することで、一対の磁石部８０を所望の位置に配置することができる。
【００４０】
・上記実施形態では、収容体であるケース部７０に対して構成体１００を移動させることでプランジャ６０を往復動させた。この構成に代えて、構成体１００に対して収容体を移動させることでプランジャ６０を往復動させる構成を採用することも可能である。
【００４１】
・複数のコイル１０３を各々独立して制御する例を説明したが、この構成は適宜変更が可能である。例えば、複数のコイル１０３を直列に繋げて、複数のコイルを同時に制御するようにしてもよい。また、複数のコイル１０３を並列に繋げた構成を採用することも可能である。
【００４２】
・上記実施形態では、コイル１０３への通電、及び非通電を切り替えることにより、プランジャ６０を往復動させるようにした。こうした構成に代えて、コイル１０３への通電状態は継続しつつも、コイル１０３へ流れる電流の向きを反対にする等してアクチュエータにおける駆動力の発生方向を変化させることにより、プランジャ６０を往復動させるようにしてもよい。
【００４３】
・車載エンジンの燃料供給系１０に用いられる燃料ポンプ２０にアクチュエータを適用した例を示したが、アクチュエータの適用対象は燃料ポンプに限らない。要は、駆動対象物を直線運動させるアクチュエータであれば、上記実施形態と同様の構成を適用することは可能である。
【符号の説明】
【００４４】
１０…燃料供給系、１１…燃料タンク、１２…燃料供給通路、１３…デリバリパイプ、１４…燃料噴射弁、２０…燃料ポンプ、３０…ポンプ部、３１…固定部、３２…本体、３３…フランジ、３４…挿通体、３５…シリンダ、３６…第１直交孔、３６Ａ…第１小径部、３６Ｂ…第１大径部、３７…第２直交孔、３７Ａ…第２小径部、３７Ｂ…第２大径部、４０…吸入弁、４１…吸入通路、４１Ａ…第１吸入路、４１Ｂ…第２吸入路、４１Ｃ…第３吸入路、４２…第１逆止弁、４３…第１弁体、４３Ａ…第１付勢部、４３Ｂ…第１膨出部、４４…第１ばね、５０…吐出弁、５１…吐出通路、５１Ａ…第１吐出路、５１Ｂ…第２吐出路、５１Ｃ…第３吐出路、５２…第２逆止弁、５３…第２弁体、５３Ａ…第２付勢部、５３Ｂ…第２膨出部、５４…第２ばね、６０…プランジャ、６０Ａ…凹条、６１…台座、６１Ａ…中央部、６１Ｂ…湾曲部、６１Ｃ…平板部、６２…圧縮ばね、６３…加圧室、７０…ケース部、７１…下壁、７２…周壁、７３…上壁、７３Ａ…貫通孔、８０…一対の磁石部、８１…第１磁石部、８２…第１支持壁、８３…第１磁石列、８５…磁石、８５Ａ…第１磁石、８５Ｂ…第２磁石、８５Ｃ…第３磁石、８５Ｄ…第４磁石、８５Ｅ…第５磁石、８５Ｆ…第６磁石、８５Ｇ…第７磁石、８５Ｈ…第８磁石、８５Ｉ…第９磁石、８５Ｊ…第１０磁石、８５Ｋ…第１１磁石、８５Ｌ…第１２磁石、８５Ｍ…第１３磁石、８６…第２磁石部、８７…第２支持壁、８８…第２磁石列、９０…磁石、９０Ａ…第２１磁石、９０Ｂ…第２２磁石、９０Ｃ…第２３磁石、９０Ｄ…第２４磁石、９０Ｅ…第２５磁石、９０Ｆ…第２６磁石、９０Ｇ…第２７磁石、９０Ｈ…第２８磁石、９０Ｉ…第２９磁石、９０Ｊ…第３０磁石、９０Ｋ…第３１磁石、９０Ｌ…第３２磁石、９０Ｍ…第３３磁石、１００…構成体、１０１…中心部、１０１Ａ…押圧部、１０２…アーム部、１０２Ａ…支持孔、１０３…コイル、１１０…制御装置。
【図１】
2019161776.tif 000003
【図２】
2019161776.tif 000004
【図３】
2019161776.tif 000005
【図４】
2019161776.tif 000006
【図５】
2019161776.tif 000007